(57)【要約】【課題】従来よりもデザイン上の自由度が増し、簡単かつ安価にヘアライン調化粧シートを作製することができ、高精細なヘアライン調化粧柄をシートに印刷することのできるヘアライン調化粧シートの製造方法を提供する。【解決手段】メタルマスク版、印刷部の表面にヘアラインブラッシュ加工が施されてメタルマスク版上を移動するヘアラインスキージ、メジウム色のインキを使用したスクリーン印刷により、ＰＥＴシート３５にヘアラインスキージの印刷部でヘアライン調装飾柄３９を印刷した後、スクリーン版、このスクリーン版上を移動するスキージ、金属色のインキ４０を使用したスクリーン印刷により、ＰＥＴシート３５のヘアライン調装飾柄３９の上に金属色のインキ４０をベタ刷りしてヘアライン調化粧シート４１とする。【選択図】図４
2010173229.tif 000002
【特許請求の範囲】
【請求項１】
メタルマスク版、印刷部の表面にヘアラインブラッシュ加工が施されて前記メタルマスク版上を移動するヘアラインスキージ、メジウム色のインキを使用したスクリーン印刷により、シートに前記ヘアラインスキージの印刷部でヘアライン調装飾柄を印刷する、
ことを特徴とするヘアライン調化粧シートの製造方法。
【請求項２】
メタルマスク版、印刷部の表面にヘアラインブラッシュ加工が施されて前記メタルマスク版上を移動するヘアラインスキージ、メジウム色のインキを使用したスクリーン印刷により、シートに前記ヘアラインスキージの印刷部でヘアライン調装飾柄を印刷した後、
スクリーン版、このスクリーン版上を移動するスキージ、金属色のインキを使用したスクリーン印刷により、前記シートの前記ヘアライン調装飾柄側に前記金属色のインキをベタ刷りする、
ことを特徴とするヘアライン調化粧シートの製造方法。
【発明の詳細な説明】
【技術分野】
【０００１】
この発明は、ヘアライン調化粧柄が印刷されたヘアライン調化粧シートの製造方法に関するものである。
【背景技術】
【０００２】
電子機器などでは、スイッチ用の表面シートとしてヘアライン調化粧シートが使用されている。このヘアライン調化粧シートを製造する方法は、いくつかある。
【０００３】
まず、第１の製造方法は、図５に示すように、例えば、２５μｍの透明なＰＥＴ（ポリエチレンテレフタレート）フィルム１１の全面にバンドグラインダを用いてヘアラインブラッシュ加工１１ａを施す。そして、図６に示すように、ＰＥＴフィルム１１のヘアラインブラッシュ加工１１ａを施した面にアルミニウムを蒸着させてアルミニウム蒸着層１２を設けることにより、蒸着フィルム１３とする。そして、蒸着フィルム１３を１００μｍの透明なＰＥＴフィルムに接着剤で貼り付けることにより、ヘアライン調化粧シートとする（例えば、特許文献１参照。）。
【０００４】
次に、第２の製造方法は、ヘアライン調化粧柄のパターンを有するスクリーン版とメジウム色のインキとスキージとを使用し、図７に示すように、スクリーン印刷によって１００μｍの透明なＰＥＴフィルム２１にメジウム色のヘアライン調化粧柄２２を印刷して印刷フィルム２３とする。そして、図８に示すように、印刷フィルム２３のヘアライン調化粧柄２２を形成した面にスクリーン印刷によって金属色のインキをベタ刷りして金属色インキ層２４を設けることにより、ヘアライン調化粧シート２５とする（例えば、特許文献２参照。）。
【先行技術文献】
【特許文献】
【０００５】
【特許文献１】特開２００１−１４４４号公報
【特許文献２】特開２０００−２１１２３４号公報
【発明の概要】
【発明が解決しようとする課題】
【０００６】
上記した第１の製造方法では、ＰＥＴフィルム１１の全面にヘアラインブラッシュ加工１１ａを施すので、デザイン上の制限が多かった。また、蒸着フィルム１３を１００μｍのＰＥＴフィルムに接着剤を用いて熱ラミネートしてヘアライン調化粧シートとするので、製造工数が多くなるとともに、多数の工具を使用することになり、高価なヘアライン調化粧シートとなる。
【０００７】
また、第２の製造方法では、スクリーン印刷でヘアライン調化粧柄２２を印刷しているので、すなわち、スクリーン版を使用してヘアライン調化粧柄２２を印刷しているので、高精細なヘアライン調化粧柄２２を印刷（表現）することは困難である。
【０００８】
この発明は、上記したような不都合を解消するためになされたもので、従来よりもデザイン上の自由度が増し、簡単かつ安価にヘアライン調化粧シートを作製することができ、高精細なヘアライン調化粧柄をシートに印刷することのできるヘアライン調化粧シートの製造方法を提供するものである。
【課題を解決するための手段】
【０００９】
請求項１に記載の発明は、メタルマスク版、印刷部の表面にヘアラインブラッシュ加工が施されて前記メタルマスク版上を移動するヘアラインスキージ、メジウム色のインキを使用したスクリーン印刷により、シートに前記ヘアラインスキージの印刷部でヘアライン調装飾柄を印刷することを特徴とするヘアライン調化粧シートの製造方法である。
【００１０】
請求項２に記載の発明は、メタルマスク版、印刷部の表面にヘアラインブラッシュ加工が施されて前記メタルマスク版上を移動するヘアラインスキージ、メジウム色のインキを使用したスクリーン印刷により、シートに前記ヘアラインスキージの印刷部でヘアライン調装飾柄を印刷した後、スクリーン版、このスクリーン版上を移動するスキージ、金属色のインキを使用したスクリーン印刷により、前記シートの前記ヘアライン調装飾柄の上に前記金属色のインキをベタ刷りすることを特徴とするヘアライン調化粧シートの製造方法である。
【発明の効果】
【００１１】
請求項１に記載の発明によれば、ヘアラインスキージの印刷部の表面にヘアラインブラッシュ加工を施したので、メタルマスク版上をヘアラインスキージを移動させることによってシートにヘアラインスキージの印刷部でヘアライン調装飾柄を選択的に印刷することができる。したがって、従来よりもデザイン上の自由度が増し、ヘアライン調化粧シートを簡単かつ安価に作製することができるとともに、ヘアラインスキージの印刷部（ヘアラインブラッシュ加工）で高精細なヘアライン調化粧柄をシートに印刷することができる。
【００１２】
請求項２に記載の発明によれば、シートのヘアライン調装飾柄の上に金属色のインキをベタ刷りしたので、金属調のヘアライン調化粧柄を作製することができる。
【図面の簡単な説明】
【００１３】
【図１】はこの発明の一実施例であるヘアライン調化粧シートの製造方法で使用するヘアラインスキージの構成を示す正面図である。
【図２】この発明の一実施例であるヘアライン調化粧シートの製造方法を示す説明図である。
【図３】この発明の一実施例であるヘアライン調化粧シートの製造方法を示す説明図である。
【図４】この発明の一実施例であるヘアライン調化粧シートの製造方法を示す説明図である。
【図５】従来のヘアライン調化粧シートの製造方法を示す説明図である。
【図６】従来のヘアライン調化粧シートの製造方法を示す説明図である。
【図７】従来のヘアライン調化粧シートの製造方法を示す説明図である。
【図８】従来のヘアライン調化粧シートの製造方法を示す説明図である。
【発明を実施するための形態】
【００１４】
以下、この発明の実施例を図面を参照して説明する。
【００１５】
図１はこの発明の一実施例であるヘアライン調化粧シートの製造方法で使用するヘアラインスキージの構成を示す正面図、図２〜図４はこの発明の一実施例であるヘアライン調化粧シートの製造方法を示す説明図である。
【００１６】
図１に示すヘアラインスキージ３１はゴム硬度６０のウレタンゴムで構成されている。そして、ヘアラインスキージ３１の下端部に位置する印刷部３１ａの表面には、例えば、＃２００のサンドペーパーで擦った凹凸状のヘアラインブラッシュ加工３１ｂが施されている。
【００１７】
次に、図面を参照しながらヘアライン調化粧シートの製造方法について説明する。
【００１８】
まず、例えば、図２に示すように、メタルマスク版３３に設けた矩形の開口部３３ａ内に矩形状で、厚さが１００μｍの被印刷物としての透明なＰＥＴシート３５をはめ込む。このとき、メタルマスク版３３の上面とＰＥＴシート３５の上面とは、ほぼ同一面となっている。そして、メタルマスク版３３上にメジウム色のインキ３７を載せた後、ヘアラインスキージ３１の印刷部３１ａを、メタルマスク版３３上を移動させることにより、印刷部３１ａのヘアラインブラッシュ加工３１ｂでＰＥＴシート３５上に凹凸状のヘアライン調装飾柄３９を印刷する。
【００１９】
このようにヘアライン調装飾柄３９が印刷されたＰＥＴシート３５の断面は、図３に示す状態となる。
【００２０】
この図３のＰＥＴシート３５に通常のスクリーン印刷、すなわち、ＰＥＴシート３５の上側に配置したスクリーン版、このスクリーン版上を移動するスキージ、金属色のインキを使用したスクリーン印刷により、ＰＥＴシート３５のヘアライン調装飾柄３９の上に金属色のインキ４０をベタ刷りすると、図４に断面を示す状態のヘアライン調化粧シート４１とすることができる。
【００２１】
上述したように、この発明の一実施例によれば、ヘアラインスキージ３１の印刷部３１ａの表面にヘアラインブラッシュ加工３１ｂを施したので、メタルマスク版３３上をヘアラインスキージ３１を移動させることによってＰＥＴシート３５にヘアラインスキージ３１でヘアライン調装飾柄３９を選択的に印刷することができる。したがって、ヘアライン調化粧シート４１を簡単かつ安価に作製することができるとともに、ヘアラインスキージ３１の印刷部３１ａ（ヘアラインブラッシュ加工３１ｂ）で高精細なヘアライン調化粧柄３９をＰＥＴシート３５に印刷することができる。そして、ＰＥＴシート３５のヘアライン調装飾柄３９の上に金属色のインキ４０をベタ刷りしたので、金属調のヘアライン調化粧柄３９を作製することができる。
【００２２】
上記した実施例では、ＰＥＴシート３５のヘアライン調装飾柄３９側に金属色のインキ４０をベタ刷りしてヘアライン調装飾柄３９を金属調にしたヘアライン調化粧シート４１の例を示したが、ヘアライン調装飾柄を金属調にする必要がなければ、シートのヘアライン調装飾柄側に金属色のインキをベタ刷りしなくとも、ヘアライン調化粧シートとすることができる。また、ＰＥＴシート３５をメタルマスク版３３の開口部３３ａにはめ込んで露出させ、ヘアライン調装飾柄３９をＰＥＴシート３５にスクリーン印刷する例を示したが、メタルマスク版でＰＥＴシートを覆ってメタルマスク版の開口部からＰＥＴシートの一部を露出させ、ヘアライン調装飾柄をＰＥＴシートの露出した部分にスクリーン印刷してもよい。
【符号の説明】
【００２３】
３１    ヘアラインスキージ
３１ａ  印刷部
３１ｂ  ヘアラインブラッシュ加工
３３    メタルマスク版
３３ａ  開口部
３５    ＰＥＴシート
３７    インキ
３９    ヘアライン調装飾柄
４０    インキ
４１    ヘアライン調化粧シート
【図１】
2010173229.tif 000003
【図２】
2010173229.tif 000004
【図３】
2010173229.tif 000005
【図４】
2010173229.tif 000006
【図５】
2010173229.tif 000007
【図６】
2010173229.tif 000008
【図７】
2010173229.tif 000009
【図８】
2010173229.tif 000010